(57)【要約】【課題】湯水や浴槽の汚染の懸念がなく衛生的で、従来のボールベアリングよりも軽量で、ローラのがたつきがなく、ローラの回転抵抗も小さい美容／健康ローラ用軸受装置、および、この軸受装置を有する美容／健康ローラを提供する。【解決手段】美容／健康ローラ用軸受装置４は、握り持つことが可能な本体と該本体の端部に配置されるローラ３とを有する美容／健康ローラに使用され、ローラ３を本体の端部に設けられた支持軸２ａに対して回転可能に支持するものであり、支持軸２ａが嵌挿され、ローラ３を支持軸２ａに対して回転可能に支持するラジアル軸受５と、ラジアル軸受５の一方の端面側に配置されるスラスト軸受６と、ラジアル軸受５とスラスト軸受６との間に介在される予圧付与部材７とからなり、ラジアル軸受５およびスラスト軸受６が、それぞれ樹脂組成物を成形してなるすべり軸受である。【選択図】図２
2015083208.tif 000002
【特許請求の範囲】
【請求項１】
握り持つことが可能な本体と該本体の端部に配置されるローラとを有する美容／健康ローラに使用され、前記ローラを前記本体の端部に設けられた支持軸に対して回転可能に支持する軸受装置であって、
前記軸受装置は、前記支持軸が嵌挿され、前記ローラを前記支持軸に対して回転可能に支持するラジアル軸受と、該ラジアル軸受の一方の端面側に配置されるスラスト軸受と、前記ラジアル軸受と前記スラスト軸受との間に介在される予圧付与部材とからなり、
前記ラジアル軸受および前記スラスト軸受が、それぞれ樹脂組成物を成形してなるすべり軸受であることを特徴とする美容／健康ローラ用軸受装置。
【請求項２】
前記ラジアル軸受が、導電性を有することを特徴とする請求項１記載の美容／健康ローラ用軸受装置。
【請求項３】
前記予圧付与部材が、ゴムまたはエラストマーからなる弾性リングであることを特徴とする請求項１または請求項２記載の美容／健康ローラ用軸受装置。
【請求項４】
前記ゴムまたはエラストマーが、シリコーンゴム、エチレンプロピレンゴム、アクリロニトリルブタジエンゴム、およびフッ素ゴムから選ばれる少なくとも一つであることを特徴とする請求項３記載の美容／健康ローラ用軸受装置。
【請求項５】
前記弾性リングが、ラッパ状に弾性変形可能な形状であることを特徴とする請求項３または請求項４記載の美容／健康ローラ用軸受装置。
【請求項６】
前記弾性リングが、前記ラジアル軸受のスリーブ部に嵌合する円筒部と、前記スラスト軸受と接触するラッパ部とからなることを特徴とする請求項５記載の美容／健康ローラ用軸受装置。
【請求項７】
前記円筒部と前記ラッパ部との境界部が、前記円筒部の肉厚よりも薄肉とされていることを特徴とする請求項６記載の美容／健康ローラ用軸受装置。
【請求項８】
前記ラジアル軸受および前記スラスト軸受の少なくとも一方を成形する前記樹脂組成物が、潤滑性向上剤を含む組成物であることを特徴とする請求項１ないし請求項７のいずれか一項記載の美容／健康ローラ用軸受装置。
【請求項９】
前記潤滑性向上剤が、カーボン、固体潤滑剤、ワックス、および潤滑油から選ばれる少なくとも一つであることを特徴とする請求項８記載の美容／健康ローラ用軸受装置。
【請求項１０】
前記ラジアル軸受が、該ラジアル軸受を成形する前記樹脂組成物の射出成形体であることを特徴とする請求項１ないし請求項９のいずれか一項記載の美容／健康ローラ用軸受装置。
【請求項１１】
前記樹脂組成物のベース樹脂が、ポリアセタール樹脂、ポリフェニレンスルフィド樹脂、ポリアミド樹脂、ポリフェニレンオキサイド樹脂、およびポリエチレン樹脂から選ばれる少なくとも一つの合成樹脂であることを特徴とする請求項１ないし請求項１０のいずれか一項記載の美容／健康ローラ用軸受装置。
【請求項１２】
前記ローラの内周面および前記ラジアル軸受の外周面から選ばれる少なくとも一方に、軸方向に形成された隙間が設けられていることを特徴とする請求項１ないし請求項１１のいずれか一項記載の美容／健康ローラ用軸受装置。
【請求項１３】
前記ラジアル軸受が、前記支持軸と摺動し、かつ、前記ローラと同期して回転することを特徴とする請求項１ないし請求項１２のいずれか一項記載の美容／健康ローラ用軸受装置。
【請求項１４】
前記ローラの内周面に軸方向のリブ状突起が形成され、前記ラジアル軸受の外周面に前記リブ状突起と嵌合する嵌合溝が形成され、前記リブ状突起と前記嵌合溝との嵌め合いによって前記ラジアル軸受が前記ローラと同期して回転することを特徴とする請求項１３記載の美容／健康ローラ用軸受装置。
【請求項１５】
前記ローラの外周面に前記ローラと別部材を設け、前記別部材の脚部が前記ローラの表面に形成された穴部をとおり前記ローラの内周面から突出され、前記ラジアル軸受の外周面に前記別部材の脚部の突出部と嵌合する嵌合溝が形成され、前記突出部と前記嵌合溝との嵌め合いによって前記ラジアル軸受が前記ローラと同期して回転することを特徴とする請求項１３記載の美容／健康ローラ用軸受装置。
【請求項１６】
握り持つことが可能な本体と、前記本体の端部に配置されるローラと、前記ローラを前記本体の端部に設けられた支持軸に対して回転可能に支持する軸受装置とを有する美容／健康ローラであって、
前記軸受装置が、請求項１ないし請求項１５のいずれか一項記載の軸受装置であることを特徴とする美容／健康ローラ。
【請求項１７】
前記ローラの表面に金属めっきが施され、前記支持軸と前記ローラとは前記軸受装置を介して電気的に導通していることを特徴とする請求項１６記載の美容／健康ローラ。
【請求項１８】
前記軸受装置が、前記ローラの内部において、軸方向に複数個設けられていることを特徴とする請求項１６または請求項１７記載の美容／健康ローラ。
【請求項１９】
前記ローラは、内部に防水構造を有さないことを特徴とする請求項１６、請求項１７または請求項１８記載の美容／健康ローラ。
【発明の詳細な説明】
【技術分野】
【０００１】
本発明は、手動式の美容／健康ローラのローラを回転可能に支持する軸受装置、および、この軸受装置を備えた美容／健康ローラに関する。なお、「美容／健康ローラ」は、美容および／または健康を目的とするローラである。
【背景技術】
【０００２】
顔や手足などの皮膚に対して美肌を高める、あるいは維持する目的の美容／健康ローラが各種販売されている。それらの美容／健康ローラは、本体である取手を握り、取手先端に配置されたローラを素肌に押し当て、ローラを素肌に対して回転させることで目的効果を得るための動作をするものである。美容／健康ローラは、ローラが素肌に対して押し当てられ回転することで、マッサージ効果が得られるとされている。美容／健康ローラとして、美容作用があると考えられる金属や鉱物などがローラに練りこまれたり貼り付けられたりするものも知られている。
【０００３】
従来の美容／健康ローラにおいて、主に高級機種では、ローラを円滑に回転させるため、ローラをボールベアリングで回転可能に支持する構造が採用されている（例えば、特許文献１参照）。特に、美容効果の向上を目的として、入浴時の使用を可能とする美容／健康ローラでは、ステンレス製のボールベアリングが採用されている。また、ボールベアリングを採用する場合、ボールベアリングに湯水が触れないようにするため、ローラ内部に防水用のＯリングなどの防水シール（防水構造）が設けられている。
【０００４】
その他、ローラにブレーキをかけてスムーズに回転し過ぎることを防止するものとして、リング状のＯ環を軸受外周に設けた美容ローラ（特許文献２参照）や、外観を美しくするために、取手部材と軸受部材にプラスチックを用いた美容ローラ（特許文献３参照）などが提案されている。
【先行技術文献】
【特許文献】
【０００５】
【特許文献１】実用新案登録第２５１０５８４号公報
【特許文献２】特開２００５−２４５８２６号公報
【特許文献３】特開２００３−０３８５９６号公報
【発明の概要】
【発明が解決しようとする課題】
【０００６】
しかしながら、従来のボールベアリングは金属製であるため、大多数の使用者である女性にとっては美容／健康ローラの重量が重く感じられるという問題がある。また、入浴時の使用に際しては、浴槽内で湯中に浸けた状態で使用されることもあり、オイル成分、グリース成分、錆などが漏洩して湯面上に広がり、浴槽が汚染されることも懸念される。
【０００７】
Ｏリングなどの防水シールが設けられた美容／健康ローラでは、防水シールがローラ回転の抵抗となり、ローラの回転操作が重く感じられるという問題がある。また、特許文献２のように軸受外周にリング状のＯ環を設ける場合、ローラの回転抵抗の調整が難しく、防水シールの場合と同様に、ローラの回転操作が重く感じられるという問題がある。また、この構造では、ローラの軸方向などのがたつきを防止できない。
【０００８】
このように美容／健康ローラの重量が重く感じられる場合、ローラの回転操作が重く感じられる場合、ローラががたつく場合などに、使用者は美容／健康ローラの使用感が優れないと感じる。
【０００９】
本発明はこのような問題に対応するためになされたものであり、湯水や浴槽の汚染の懸念がなく衛生的で、従来のボールベアリングよりも軽量で、ローラのがたつきがなく、ローラの回転抵抗も小さい美容／健康ローラ用軸受装置、および、この軸受装置を有する美容／健康ローラを提供することを目的とする。
【課題を解決するための手段】
【００１０】
本発明の美容／健康ローラ用軸受装置は、握り持つことが可能な本体と該本体の端部に配置されるローラとを有する美容／健康ローラに使用され、上記ローラを上記本体の端部に設けられた支持軸に対して回転可能に支持する軸受装置であって、上記軸受装置は、上記支持軸が嵌挿され、上記ローラを上記支持軸に対して回転可能に支持するラジアル軸受と、該ラジアル軸受の一方の端面側に配置されるスラスト軸受と、上記ラジアル軸受と上記スラスト軸受との間に介在される予圧付与部材とからなり、上記ラジアル軸受および上記スラスト軸受が、それぞれ樹脂組成物を成形してなるすべり軸受であることを特徴とする。特に、上記ラジアル軸受が、導電性を有することを特徴とする。
【００１１】
上記予圧付与部材が、ゴムまたはエラストマーからなる弾性リングであることを特徴とする。また、上記ゴムまたはエラストマーが、シリコーンゴム、エチレンプロピレンゴム、アクリロニトリルブタジエンゴム、およびフッ素ゴムから選ばれる少なくとも一つであることを特徴とする。
【００１２】
上記弾性リングが、ラッパ状に弾性変形可能な形状であることを特徴とする。また、上記弾性リングが、上記ラジアル軸受のスリーブ部に嵌合する円筒部と、上記スラスト軸受と接触するラッパ部とからなることを特徴とする。また、上記円筒部と上記ラッパ部との境界部が、上記円筒部の肉厚よりも薄肉とされていることを特徴とする。
【００１３】
上記ラジアル軸受および上記スラスト軸受の少なくとも一方を成形する上記樹脂組成物が、潤滑性向上剤を含む組成物であることを特徴とする。また、上記潤滑性向上剤が、カーボン、固体潤滑剤、ワックス、および潤滑油から選ばれる少なくとも一つであることを特徴とする。
【００１４】
上記ラジアル軸受が、該ラジアル軸受を成形する上記樹脂組成物の射出成形体であることを特徴とする。
【００１５】
上記樹脂組成物のベース樹脂が、ポリアセタール樹脂、ポリフェニレンスルフィド樹脂、ポリアミド樹脂、ポリフェニレンオキサイド樹脂、およびポリエチレン樹脂から選ばれる少なくとも一つの合成樹脂であることを特徴とする。
【００１６】
上記ローラの内周面および上記ラジアル軸受の外周面から選ばれる少なくとも一方に、軸方向に形成された隙間が設けられていることを特徴とする。
【００１７】
上記ラジアル軸受が、上記支持軸と摺動し、かつ、上記ローラと同期して回転することを特徴とする。
【００１８】
上記ローラの内周面に軸方向のリブ状突起が形成され、上記ラジアル軸受の外周面に上記リブ状突起と嵌合する嵌合溝が形成され、上記リブ状突起と上記嵌合溝との嵌め合いによって上記ラジアル軸受が上記ローラと同期して回転することを特徴とする。
【００１９】
また、上記ローラの外周面に上記ローラと別部材を設け、上記別部材の脚部が上記ローラの表面に形成された穴部をとおり上記ローラの内周面から突出され、上記ラジアル軸受の外周面に上記別部材の脚部の突出部と嵌合する嵌合溝が形成され、上記突出部と上記嵌合溝との嵌め合いによって上記ラジアル軸受が上記ローラと同期して回転することを特徴とする。
【００２０】
本発明の美容／健康ローラは、握り持つことが可能な本体と、上記本体の端部に配置されるローラと、上記ローラを上記本体の端部に設けられた支持軸に対して回転可能に支持する軸受装置とを有する美容／健康ローラであって、上記軸受装置が、本発明の軸受装置であることを特徴とする。
【００２１】
上記ローラの表面に金属めっきが施され、上記支持軸と上記ローラとは上記軸受装置を介して電気的に導通していることを特徴とする。
【００２２】
上記軸受装置が、上記ローラの内部において、軸方向に複数個設けられていることを特徴とする。また、上記ローラは、内部に防水構造を有さないことを特徴とする。
【発明の効果】
【００２３】
本発明の美容／健康ローラ用軸受装置は、握り持つことが可能な本体と該本体の端部に配置されるローラとを有する美容／健康ローラに使用され、ローラを本体の端部に設けられた支持軸に対して回転可能に支持する軸受装置であり、該軸受装置は、支持軸が嵌挿され、ローラを支持軸に対して回転可能に支持するラジアル軸受と、ラジアル軸受の一方の端面側に配置されるスラスト軸受と、ラジアル軸受とスラスト軸受との間に介在される予圧付与部材とからなり、ラジアル軸受およびスラスト軸受が、それぞれ樹脂組成物を成形してなるすべり軸受であるので、以下の効果を有する。
（１）従来のボールベアリングより大幅なコンパクト化および軽量化が実現できる。
（２）ローラの回転抵抗を低くでき、使用感が向上する。
（３）ローラのがたつきを無くすことができる。
（４）湯中での使用に際して、錆やオイル成分の漏洩がなく、湯水や浴槽などの汚染が発生しない。
（５）Ｏリングなどの防水シールを設けない構造を採用できるため、使用感が向上する。
【００２４】
ラジアル軸受が導電性を有するので、マイクロカレント発生装置を有する美容／健康ローラに好適となる。
【００２５】
予圧付与部材が、ゴムまたはエラストマーからなる弾性リングであるので、複雑な構造を有さずに予圧調整可能な構造とできる。また、上記ゴムまたはエラストマーが、シリコーンゴム、エチレンプロピレンゴム、アクリロニトリルブタジエンゴム、およびフッ素ゴムから選ばれる少なくとも一つであるので、衛生的である。
【００２６】
上記弾性リングが、ラッパ状に弾性変形可能な形状であるので、予圧の調整幅を大きくできる。また、上記弾性リングが、ラジアル軸受のスリーブ部に嵌合する円筒部と、スラスト軸受と接触するラッパ部とからなるので、予圧付与部材をラジアル軸受に取り付けて固定でき、支持軸への軸受装置のセットが容易となる。また、円筒部とラッパ部との境界部が、円筒部の肉厚よりも薄肉とされているので、ラッパ部をラッパ状に弾性変形しやすくなり、予圧の調整幅を大きくできる。
【００２７】
ラジアル軸受およびスラスト軸受の少なくとも一方を成形する樹脂組成物が、潤滑性向上剤を含む組成物であるので、該潤滑性向上剤を含まない場合よりもローラの回転抵抗（回転トルク）を小さくでき、従来のボールベアリングより使用感が向上する。また、潤滑性向上剤が、カーボン、固体潤滑剤、ワックス、および潤滑油から選ばれる少なくとも一つであるので、さらに回転抵抗を小さくでき、より使用感が向上する。
【００２８】
ラジアル軸受が、該ラジアル軸受を成形する樹脂組成物の射出成形体であるので、該ラジアル軸受が複雑な形状となる場合においても製造が容易である。
【００２９】
ラジアル軸受およびスラスト軸受を成形する樹脂組成物のベース樹脂が、ポリアセタール樹脂、ポリフェニレンスルフィド樹脂、ポリアミド樹脂、ポリフェニレンオキサイド樹脂、およびポリエチレン樹脂から選ばれる少なくとも一つの合成樹脂であるので、潤滑特性に優れており、湯中でのローラ使用において湯水の汚染が全くなく、ローラの回転抵抗も低く安定する。
【００３０】
ローラの内周面およびラジアル軸受の外周面から選ばれる少なくとも一方に、軸方向に形成された隙間が設けられているので、ローラ内部に水が入ったとしても、ローラ内部に水が溜まることを防止できる。
【００３１】
ラジアル軸受が、支持軸と摺動し、かつ、ローラと同期して回転するので、ハンドル操作にローラ回転が追従して、操作感が優れる。
【００３２】
ローラの内周面に軸方向のリブ状突起が形成され、ラジアル軸受の外周面に該リブ状突起と嵌合する嵌合溝が形成され、該リブ状突起と該嵌合溝との嵌め合いによってラジアル軸受がローラと同期して回転する構造であるので、接着剤などを使用することなく、ラジアル軸受とローラとを同期回転可能にできる。
【００３３】
また、ローラの外周面にローラと別部材を設け、該別部材の脚部がローラの表面に形成された穴部をとおりローラの内周面から突出され、ラジアル軸受の外周面に該別部材の脚部の突出部と嵌合する嵌合溝が形成され、該突出部と該嵌合溝との嵌め合いによってラジアル軸受がローラと同期して回転する構造であるので、接着剤などを使用することなく、該別部材とローラの外周面との固定およびローラとラジアル軸受との固定ができ、ラジアル軸受とローラとを同期回転可能にできる。
【００３４】
本発明の美容／健康ローラは、握り持つことが可能な本体と、本体の端部に配置されるローラと、ローラを本体の端部に設けられた支持軸に対して回転可能に支持する軸受装置とを有する美容／健康ローラであって、上記軸受装置として上記した本発明の軸受装置を採用しているので、美容／健康ローラの重量やローラの回転操作が、女性使用者にとって重く感じられることがない。また、入浴時の使用が可能であり、湯水を汚染するという懸念が全くなく、衛生的である。
【００３５】
ローラの表面に金属めっきが施され、支持軸とローラとは軸受装置を介して電気的に導通しているので、マイクロカレント発生装置が有効に機能する。
【００３６】
ローラの内部において、軸受装置が軸方向に複数個設けられているので、ローラの安定性が優れる。また、ローラの内部に防水構造を有さないので、さらなる軽量化が可能である。
【図面の簡単な説明】
【００３７】
【図１】本発明の美容／健康ローラの一例を示す正面図である。
【図２】ローラ部分のローラ軸方向の断面図である。
【図３】軸受装置の分解斜視図である。
【図４】軸受装置の軸方向断面図およびその一部拡大図である。
【図５】ローラとラジアル軸受との固定構造の一例を示す図である。
【発明を実施するための形態】
【００３８】
本発明の美容／健康ローラの一実施例を図１〜図３に基づいて説明する。図１は本発明の美容／健康ローラの一例を示す正面図であり、図２はローラ３部分のローラ軸方向の断面図であり、図３は軸受装置４の分解斜視図である。図１に示すように、美容／健康ローラ１は、人が片手で握り持つことが可能な本体２（ハンドル）と、本体２の端部に配置される２つのローラ３とから構成される。２つのローラ３は、握り持つ本体２の端部に、フェイスラインやボディラインの曲線に合わせたＶ字型を形成するように配置されている。ローラ３は、外周面に後述する別部材８が設けられている。また、図２に示すように、これらのローラ３は、本体２の端部に設けられた支持軸２ａに対して、本発明の軸受装置４により回転可能に支持されている。図２および図３に示すように、軸受装置４は、ラジアル軸受５と、ラジアル軸受５の一方の端面側に配置されるスラスト軸受６と、ラジアル軸受５とスラスト軸受６との間に介在される予圧付与部材７とから構成される。支持軸２ａのローラ３の端部側には蓋体９が設けられる。支持軸２ａを固定して、蓋体９を図中左側にねじ等により押し込むことで、軸受装置４とローラ３（別部材８を含む）とが一体として図中左側に移動する。これにより、予圧付与部材７が、ラジアル軸受５とスラスト軸受６との間に挟み込まれて弾性変形する。
【００３９】
ラジアル軸受５は、本体端部の支持軸２ａが嵌挿され、ローラ３を支持軸２ａに対して回転可能に支持するすべり軸受である。また、スラスト軸受６は、支持軸２ａに嵌挿されるリング状のすべり軸受である。軸受装置４は、支持軸２ａに対して、ラジアル軸受５、予圧付与部材７、スラスト軸受６の順に直列に配置された構造であるので、コンパクトであり、軽量化が可能となる。
【００４０】
ラジアル軸受５およびスラスト軸受６は、それぞれ、同一または異なる樹脂組成物を成形してなるすべり軸受である。ラジアル軸受５およびスラスト軸受６を成形する樹脂組成物のベース樹脂となる合成樹脂としては、すべり軸受材として使用できる合成樹脂であれば特に限定されない。例えば、ポリアセタール（ＰＯＭ）樹脂、ポリフェニレンスルフィド（ＰＰＳ）樹脂、ポリアミド（ＰＡ）樹脂、ポリフェニレンオキサイド（ＰＰＯ）樹脂、ポリエチレン（ＰＥ）樹脂、ポリカーボネート（ＰＣ）樹脂、ポリエチレンテレフタレート（ＰＥＴ）樹脂、ポリエーテルエーテルケトン（ＰＥＥＫ）樹脂、熱可塑性ポリイミド（ＰＩ）樹脂 、ポリアミドイミド（ＰＡＩ）樹脂、ポリテトラフルオロエチレン（ＰＴＦＥ）樹脂、ポリテトラフルオロエチレン・パーフルオロアルキルビニルエーテル共重合体（ＰＦＡ）樹脂、テトラフルオロエチレン・ヘキサフルオロプロピレン共重合体（ＦＥＰ）樹脂、エチレン−テトラフルオロエチレン共重合体（ＥＴＦＥ）樹脂などが挙げられる。
【００４１】
また、ＰＥ樹脂としては、低密度ＰＥ樹脂、高密度ＰＥ樹脂、超高分子量ＰＥ樹脂などが挙げられる。また、ＰＡ樹脂としては、ポリアミド６（ＰＡ６）樹脂、ポリアミド６−６（ＰＡ６６）樹脂、ポリアミド６−１０（ＰＡ６１０）樹脂、ポリアミド６−１２（ＰＡ６１２）樹脂、ポリアミド４−６（ＰＡ４６）樹脂などの脂肪族ポリアミド樹脂、ポリアミド９−Ｔ（ＰＡ９Ｔ）樹脂、ポリアミド６−Ｔ（ＰＡ６Ｔ）樹脂、ポリメタキシレンアジパミド（ポリアミドＭＸＤ−６）樹脂などの高分子主鎖中に芳香族環を有する芳香族（脂肪族芳香族）ポリアミド樹脂が挙げられる。各ＰＡ樹脂において、数字はアミド結合間の炭素数を表し、Ｔはテレフタル酸残基を表す。
【００４２】
これらの各樹脂は単独で使用してもよく、２種類以上混合したポリマーアロイであってもよい。また、成形方法は、圧縮成形、押し出し成形、射出成形など、材料の種類に応じて適宜選択できる。上記合成樹脂の中でも、潤滑特性に優れており、湯中での使用において湯水の汚染が全くなく、回転トルクも低く安定することから、ＰＯＭ樹脂、ＰＰＳ樹脂、ＰＡ樹脂、ＰＰＯ樹脂、およびＰＥ樹脂から選ばれる少なくとも一つを用いることが好ましい。
【００４３】
また、ラジアル軸受５およびスラスト軸受６の少なくとも一方を成形する樹脂組成物が、潤滑性向上剤を含む組成物であることが好ましい。潤滑性向上剤を配合することで、ローラ３の回転トルクを小さくでき、従来のボールベアリングよりも使用感を向上できる。ローラ３の回転トルクを特に小さくできる潤滑性向上剤として、カーボン、固体潤滑剤、ワックス、または潤滑油が挙げられる。これらの潤滑性向上剤は、１種類を配合しても２種類以上を組み合わせて配合してもよい。
【００４４】
固体潤滑剤としては、例えば、ＰＴＦＥ樹脂粉末、黒鉛粉末、二硫化モリブデン、熱硬化性樹脂粉末などが挙げられる。ＰＴＦＥ樹脂粉末としては、ＰＴＦＥ樹脂をその融点以上で加熱焼成したものや、加熱焼成した粉末にさらにγ線または電子線などを照射した粉末も使用できる。
【００４５】
上記潤滑性向上剤の中でも、特に、カーボンおよび固体潤滑剤は、入浴時の使用に際し、浴槽内で湯中に浸けた状態で使用しても潤滑効果（ローラの使用感）が変化しないので好ましい。
【００４６】
また、ラジアル軸受５を成形する樹脂組成物に、導電性カーボンなどの導電性付与剤を配合することが好ましい。ラジアル軸受５に導電性を付与することで、後述のマイクロカレントに対応できる。導電性カーボンとしては、例えば、カーボンファイバー、カーボンナノチューブ、フラーレン、カーボンパウダーなどが挙げられる。これらの中で、カーボンパウダーの一つであるケッチェンブラックが導電性に優れるため好ましい。
【００４７】
ラジアル軸受５の体積抵抗値は、１．０×１０５Ω・ｃｍ未満であることが好ましい。この範囲とすることで、マイクロカレントによる効果を発現できる程度に、支持軸２ａとローラ３とをラジアル軸受５を介して電気的に導通できる。ラジアル軸受５を成形する樹脂組成物において、導電性付与剤の配合量は、上記体積抵抗値の範囲を満たせる量とすることが好ましい。
【００４８】
ラジアル軸受５は、予圧付与部材７やローラ３と嵌合可能な複雑形状であるので、射出成形可能な合成樹脂をベース樹脂とする樹脂組成物を用いて射出成形体とすることが好ましい。射出成形体とすることで、図２や図３などに示す複雑形状であっても容易に製造できる。また、スラスト軸受６は、図３に示すような簡易なリング形状とでき、圧縮成形などでも成形可能となる。本発明の好適な態様として、例えば、ラジアル軸受５をＰＯＭ樹脂をベースとする導電性樹脂組成物を用いて射出成形で製造し、スラスト軸受６を超高分子量ＰＥ樹脂を用いて圧縮成形やラム押出し成形により製造できる。
【００４９】
予圧付与部材７は、ラジアル軸受５とスラスト軸受６との間に介在されるものであり、ラジアル軸受５およびスラスト軸受６に対して軸方向に予圧を与えるものである。予圧を付与することで、ローラ３の軸方向のがたつきなどを防止できる。また、ローラ３の回転抵抗が小さ過ぎると、ローラ３を肌に押し当てて回転させているとき以外も空回りするなどして、ローラ３の回転の均等性が失われる懸念がある。本発明では上記予圧を付与することで、ローラ３に適度な回転抵抗を付与でき、空回りなどを防止できる。これらのがたつき防止や、空回り防止により、ローラ３の回転の均等性が生まれる。
【００５０】
予圧付与部材７は、上記予圧を付与できるものであれば、特に構造などは限定されない。複雑な構造とせずに、予圧調整が可能となることから、ゴムまたはエラストマーからなる弾性変形可能なリング（弾性リング）とすることが好ましい。予圧付与部材である弾性リングを、ラジアル軸受とスラスト軸受で挟み込んで、弾性変形させておくことで、その復元力により予圧が付与される。また、該弾性リングは簡易な構造であるため、不具合が発生しにくく低コスト化も図れる。
【００５１】
弾性リングを構成するゴムとしては、例えば、シリコーンゴム、エチレンプロピレンゴム（ＥＰＤＭ）、アクリロニトリルブタジエンゴム（ＮＢＲ）、フッ素ゴム、イソプレンゴム、スチレンゴム、ブタジエンゴム、ニトリルゴム、クロロプレンゴム、ブチルゴム、アクリルゴム、クロロスルフォン化ポリエチレンゴム、塩素化ポリエチレンゴム、エピクロルヒドリンゴムなどの加硫ゴム類が挙げられる。また、弾性リングを構成するエラストマーとしては、例えば、ポリウレタンエラストマー、ポリエステルエラストマー、ポリアミドエラストマー、ポリブタジエン系エラストマー、軟質ナイロン系エラストマーなどの熱可塑性エラストマー類が挙げられる。これらの中でも、衛生的であることから、シリコーンゴム、ＥＰＤＭ、ＮＢＲ、およびフッ素ゴムから選ばれる少なくとも一つであることが好ましい。
【００５２】
予圧付与部材７について図４に基づいて説明する。図４（ａ）は軸受装置部分の軸方向断面図であり、図４（ｂ）は図４（ａ）における一部（Ａ部）拡大図である。図４に示す態様の予圧付与部材７は、ラジアル軸受５のスリーブ部５ｂに嵌合する円筒部７ａと、スラスト軸受６と接触するラッパ部７ｂとから構成される弾性リングである。ラッパ部とは、ラッパ状の部分、すなわち軸方向に連続的または段階的に拡径する円管部分である。この構造とすることで、予圧付与部材７をラジアル軸受５に取り付けて固定でき、本体端部の支持軸２ａへの軸受装置４のセットが容易となる。スリーブ部５ｂは、ラジアル軸受５の軸孔５ａを囲む形状である。スリーブ部５ｂの端面５ｄは、ラジアル軸受５のスラスト軸受６側の外周端面５ｅよりも軸方向で内側に位置している。ラジアル軸受５のスリーブ部５ｂの軸方向長さは、予圧付与部材７の円筒部７ａの軸方向長さと略同一か、長くすることで、予圧付与部材７を強く固定できる。
【００５３】
予圧付与部材７のラッパ部７ｂは、ラジアル軸受５のスラスト軸受６側の外周端面５ｅよりも軸方向で外側に突出している。支持軸２ａに嵌挿されたラジアル軸受５とスラスト軸受６との軸方向距離が縮まるにつれて、予圧付与部材７のラッパ部７ｂがラッパ状を押し広げる方向に弾性変形する（図４（ａ）の右図参照）。上記のようなラッパ状とすることで、同一材質を用いた円筒状の予圧付与部材などよりも、変形量を大きく確保できる。この結果、予圧の調整幅が大きくできる。予圧は、支持軸２ａのローラ３の端部側に設けられる蓋体９の押し込み程度により調整できる（図２参照）。
【００５４】
図４（ｂ）に示すように、予圧付与部材７において、円筒部７ａとラッパ部７ｂとの境界部７ｃが、少なくとも円筒部７ａの肉厚よりも薄肉となるようにすることが好ましい。この構造とすることで、ラッパ部７ｂが該境界部７ｃを変化部としてラッパ状に弾性変形しやすくなり、予圧の調整幅を大きくできる。図４（ｂ）では、境界部７ｃは、ラッパ部７ｂにおける該境界部７ｃとの隣接部分の肉厚よりも薄肉である。なお、図４（ｂ）では、予圧付与部材７の外周側を薄肉としているが、これに限らず、内周側を薄肉とするなどしてもよい。
【００５５】
予圧付与部材７は、図４に示す態様のほか、ラッパ状に弾性変形可能な形状として、例えば、一定肉厚の円筒状で、円筒軸方向の略半分に周方向に等間隔の切り込みを入れる形状などとすることができる。
【００５６】
本発明の美容／健康ローラ１において、軸受装置４は、１個または複数個を設けることができる（図２参照）。軸受装置４を複数個用いる場合は、支持軸に対して軸方向に並列に離間して、または、離間せずに配置することができる。ローラ３の支持軸２ａに対するがたつきを防止でき、ロータ３の安定性に優れることから、軸受装置４は軸方向に複数個設けることが好ましい。また、軸受装置４（予圧付与部材７を含むもの）を１個設け、それ以外は、軸受装置４のラジアル軸受５のみか、必要に応じてラジアル軸受５とスラスト軸受６とを組み合わせたものを用いた態様としてもよい。図２に示す態様では、一方（図中左側）は軸受装置４を用い、他方（図中右側）はラジアル軸受５とスラスト軸受６とを組み合わせたものを用い、他方（図中右側）のスラスト軸受６を、一方（図中左側）の軸受装置４のスラスト軸受６よりも厚肉としている。
【００５７】
図２に示すように、スラスト軸受６は、支持軸２ａが嵌挿されるリング状のすべり軸受であり、支持軸２ａの端部２ｂおよび蓋体９の端部９ａとの摺動箇所に配置されている。ラジアル軸受５およびスラスト軸受６が、上述の樹脂組成物を成形したすべり軸受であるため、それぞれの摺動面において、グリースなどの塗布は不要である。
【００５８】
図２に示すように、ラジアル軸受５は、本体端部の支持軸２ａが嵌挿され、ローラ３を支持軸２ａに対して回転可能に支持するすべり軸受である。ラジアル軸受５は、内周に形成された軸孔５ａで支持軸２ａと接触し、外周部でローラ３と接触する。この態様のラジアル軸受５は、軸孔５ａで支持軸２ａと摺動し、ローラ３と固定されて同期回転するものである。
【００５９】
ラジアル軸受５とローラ３との固定構造を図５に基づいて説明する。図５（ａ）はローラ３の正面図であり、図５（ｂ）は図５（ａ）におけるＢ−Ｂ線断面図である。 図５（ａ）および（ｂ）に示すように、ローラ３の外周面にローラ３と別の部材である別部材８が設けられている。別部材８の脚部８ａが、ローラ３の表面に形成された穴部３ａをとおり、ローラ３の内周面から突出されている。一方、ラジアル軸受５の外周面に別部材８の脚部８ａの突出部８ｂと嵌合する嵌合溝５ｃが形成されている。突出部８ｂと嵌合溝５ｃとの嵌め合いによって、別部材８とラジアル軸受５とが固定される。ローラ３は、別部材８とラジアル軸受５とに挟み込まれて固定され、ラジアル軸受５と同期して回転する構造となる。
【００６０】
この固定構造により、接着剤などを使用することなく、別部材８とローラ３の外周面との固定、およびローラ３とラジアル軸受５との固定ができる。美容／健康ローラは皮膚への直接の接触があるため、接着剤の使用は好ましくない。なお、別部材は、美容作用があると考えられる金属や天然鉱物やセラミックスなどの成形体や、それらの粉末の成形体、または該粉末をポリプロピレン樹脂などの合成樹脂で所定形状に成形した部材であってもよい。このような金属や天然鉱物としては、例えば、ローズクォーツ、シトリン、アゲート、ヘマタイト、アクアマリン、アメジスト、ルチルクォーツ、ジェイド、トルマリン、千枚岩、蓬莱石、桜花石、青龍石、貴陽石、医王石、ゲルマニウムなどが挙げられる。
【００６１】
また、他の固定構造として、ローラ３の内周面に軸方向のリブ状突起を形成するとともに、ラジアル軸受５の外周面に該リブ状突起と嵌合する嵌合溝５ｃを形成する構造が挙げられる。該リブ状突起は、図５における別部材８の脚部８ａの突出部８ｂに対応するものである。このリブ状突起と嵌合溝５ｃとの嵌め合いによって、接着剤などを使用することなく、ローラ３とラジアル軸受５とが固定される。これにより、ローラ３は、ラジアル軸受５と同期して回転する構造となる。
【００６２】
以上のような固定構造を設けて、ラジアル軸受５が、軸孔５ａで支持軸２ａと摺動し、ローラ３と固定されて同期回転する態様とすることで、ハンドル操作にローラ３の回転が追従して、操作感が優れる。また、その他の態様として、ラジアル軸受５と支持軸２ａとを固定して同期回転させ、該ラジアル軸受５の外周面でローラ３の内周面と摺動する態様ともできる。
【００６３】
ラジアル軸受５は、内周に形成された軸孔５ａで支持軸２ａと接触し、外周部でローラ３と接触するものであるため、該ラジアル軸受５に導電性を付与することで、支持軸２ａとローラ３とを該ラジアル軸受５を介して電気的に導通させることができる。本体などにソーラーパネルやマグネットリングを利用したマイクロカレント発生装置を設けて、発生させた電流を支持軸２ａ、ラジアル軸受５、ローラ３の経路で流し、該ローラ３と接触する皮膚に流すことができる。マイクロカレントとは、μＡという極めて微弱な電流を皮膚に流して細胞に刺激を与える方法であり、眠っている細胞を活性化させて、リンパの流れをよくし、血行を促進、新陳代謝のアップを図る美容法である。マイクロカレントは皮膚に人工的に微弱電流を流すことができるのでスキンケアや美肌作りに効果が期待できる。また、顔に使用し続けることで皮膚の細胞を復活させてハリを取り戻せることが期待できる。
【００６４】
さらに、ローラ３の表面にプラチナなどの金属めっきを施すことで、上記マイクロカレント発生装置が有効に機能する。また、このような金属めっきをローラ３の表面に施すことで、外観上、高級感を出すことができる。
【００６５】
嵌合面となる、ローラ３の内周面およびラジアル軸受５の外周面から選ばれる少なくとも一方に、軸方向に形成された隙間１０を設けることが好ましい。該隙間１０を設けることで、軸受装置４で囲まれるローラ３の内部にまで水が浸入した場合でも、該隙間１０を介して水抜け（蒸発含む）ができ、ローラ３の内部に水が溜まることを防止できる。
【００６６】
本発明の美容／健康ローラは、簡易形状で軽量な樹脂製のすべり軸受などで構成される軸受装置を用いるため、従来のボールベアリングを用いる場合よりも、大幅な軽量化が図れる。また、ローラの回転抵抗を低くでき、使用感に優れる。また、ステンレス製のボールベアリングを用いる場合に必要であった防水構造は不要となり、より軽量化が図れ、低コスト化も図れる。さらに、グリースなどを用いず、湯水を汚染するという懸念が全くなく衛生的であるため、入浴時にも好適に使用可能である。
【産業上の利用可能性】
【００６７】
本発明の美容／健康ローラ用軸受装置は、従来のボールベアリングよりも軽量で、ローラのがたつきがなく、ローラの回転抵抗も小さく、入浴時に使用した場合でも湯水や浴槽の汚染の懸念がなく衛生的であるので、主に女性が使用する美容／健康ローラにおいてローラを支持する軸受装置として好適に利用できる。
【符号の説明】
【００６８】
１    美容／健康ローラ
２    本体
２ａ  支持軸
２ｂ  端部
３    ローラ
３ａ  穴部
４    軸受装置
５    ラジアル軸受
５ａ  軸孔
５ｂ  スリーブ部
５ｃ  嵌合溝
５ｄ  端面
５ｅ  外周端面
６    スラスト軸受
７    予圧付与部材
７ａ  円筒部
７ｂ  ラッパ部
７ｃ  境界部
８    別部材
８ａ  脚部
８ｂ  突出部
９    蓋体
９ａ  端部
１０  隙間
【図１】
2015083208.tif 000003
【図２】
2015083208.tif 000004
【図３】
2015083208.tif 000005
【図４】
2015083208.tif 000006
【図５】
2015083208.tif 000007
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
握り持つことが可能な本体と該本体の端部に配置されるローラとを有する美容／健康ローラに使用され、前記ローラを前記本体の端部に設けられた支持軸に対して回転可能に支持する軸受装置であって、
前記軸受装置は、前記支持軸が嵌挿され、前記ローラを前記支持軸に対して回転可能に支持するラジアル軸受を有し、
前記ラジアル軸受が、導電性を有する樹脂組成物を成形してなるすべり軸受であることを特徴とする美容／健康ローラ用軸受装置。
【請求項２】
握り持つことが可能な本体と該本体の端部に配置されるローラとを有する美容／健康ローラに使用され、前記ローラを前記本体の端部に設けられた支持軸に対して回転可能に支持する軸受装置であって、
前記軸受装置は、前記支持軸が嵌挿され、前記ローラを前記支持軸に対して回転可能に支持するラジアル軸受を有し、
前記ラジアル軸受が、潤滑性向上剤を含む樹脂組成物を成形してなるすべり軸受であることを特徴とする美容／健康ローラ用軸受装置。
【請求項３】
前記潤滑性向上剤が、カーボン、固体潤滑剤、ワックス、および潤滑油から選ばれる少なくとも一つであることを特徴とする請求項２記載の美容／健康ローラ用軸受装置。
【請求項４】
前記ラジアル軸受が、導電性を有することを特徴とする請求項２または請求項３記載の美容／健康ローラ用軸受装置。
【請求項５】
前記ラジアル軸受が、該ラジアル軸受を成形する前記樹脂組成物の射出成形体であることを特徴とする請求項１ないし請求項４のいずれか一項記載の美容／健康ローラ用軸受装置。
【請求項６】
前記樹脂組成物のベース樹脂が、ポリアセタール樹脂、ポリフェニレンスルフィド樹脂、ポリアミド樹脂、ポリフェニレンオキサイド樹脂、およびポリエチレン樹脂から選ばれる少なくとも一つの合成樹脂であることを特徴とする請求項１ないし請求項５のいずれか一項記載の美容／健康ローラ用軸受装置。
【請求項７】
前記ローラの内周面および前記ラジアル軸受の外周面から選ばれる少なくとも一方に、軸方向に形成された隙間が設けられていることを特徴とする請求項１ないし請求項６のいずれか一項記載の美容／健康ローラ用軸受装置。
【請求項８】
前記ラジアル軸受が、前記支持軸と摺動し、かつ、前記ローラと同期して回転することを特徴とする請求項１ないし請求項７のいずれか一項記載の美容／健康ローラ用軸受装置。
【請求項９】
握り持つことが可能な本体と、前記本体の端部に配置されるローラと、前記ローラを前記本体の端部に設けられた支持軸に対して回転可能に支持する軸受装置とを有する美容／健康ローラであって、
前記軸受装置が、請求項１ないし請求項８のいずれか一項記載の軸受装置であることを特徴とする美容／健康ローラ。